(57)【要約】【課題】組立工数を削減できる電気掃除機を提供する。【解決手段】上面に吸気口３２ａを有して周面に排気口３２ｂを有する電動送風機３０を本体部２内に配した電気掃除機１において、上面を開口する有底の箱状に形成して本体部２に取り付けられるとともに電動送風機３０を収納する収納ケース５０と、電動送風機３０の底面を支持する防振ゴム７０と、防振ゴム７０を保持する底面部６１と電動送風機３０の周囲を覆う周面部６２と周面部６２の上部に配されて手指を掛ける掛止部６３とを有する保持部材６０とを備えた。【選択図】図３
2012065879.tif 000002
【特許請求の範囲】
【請求項１】
上面に吸気口を有して周面に排気口を有する電動送風機を本体部内に配した電気掃除機において、上面を開口する有底の箱状に形成して前記本体部に取り付けられるとともに前記電動送風機を収納する収納ケースと、前記電動送風機の底面を支持する防振ゴムと、前記防振ゴムを保持する底面部と前記電動送風機の周囲を覆う周面部と前記周面部の上部に配されて手指を掛ける掛止部とを有する保持部材と、を備えたことを特徴とする電気掃除機。
【請求項２】
前記掛止部が前記周面部から径方向に突出して形成されることを特徴とする請求項１に記載の電気掃除機。
【請求項３】
前記掛止部が前記周面部に形成した凹部または貫通孔から成ることを特徴とする請求項１に記載の電気掃除機。
【請求項４】
前記電動送風機の外周面と前記周面部の内周面との間に挟持される弾性体の防音材を設けたことを特徴とする請求項１〜請求項３のいずれかに記載の電気掃除機。
【請求項５】
前記収納ケースの周囲の一面に気流の流出部が設けられ、前記流出部から離れた位置の前記収納ケースの内面及び前記保持部材の外面に前記保持部材を上下に案内する案内部を設けたことを特徴とする請求項１〜請求項４のいずれかに記載の電気掃除機。
【請求項６】
前記周面部が前記流出部に対向する第１開口部と、前記流出部から離れた位置に開口する第２開口部とを有することを特徴とする請求項５に記載の電気掃除機。
【請求項７】
前記保持部材が前記収納ケースの内壁上に当接して載置され、前記防振ゴムと前記収納ケースとの間に隙間が形成されることを特徴とする請求項１〜請求項６のいずれかに記載の電気掃除機。
【発明の詳細な説明】
【技術分野】
【０００１】
本発明は、電動送風機を備えた電気掃除機に関する。
【背景技術】
【０００２】
従来の電気掃除機は特許文献１に開示されている。この電気掃除機は吸込気流を発生させる電動送風機が本体部内に横設される。電動送風機の軸方向の端面には吸気口が開口し、周面には排気口が開口する。本体部の前部には電動送風機の吸気口に面して塵埃を集塵する集塵室が配される。
【０００３】
電動送風機は本体部内に取り付けられる収納ケース内に収納される。収納ケースは吸気口側の端面が開口した箱状に形成され、電動送風機の排気路を形成する。電動送風機の吸気口側の周面には収納ケースの周壁との隙間を埋める緩衝材（モーターサポートゴムマエ）が配される。電動送風機の吸気口に対向する軸方向の端面には収納ケースの底面部との隙間を埋める防振ゴム（モーターサポートゴムウシロ）が配される。
【０００４】
緩衝材によって集塵室からの気流を吸気口に導くとともに電動送風機の排気の逆流が防止される。また、緩衝材及び防振ゴムによって電動送風機の振動を吸収し、本体部の防振を行うことができる。
【０００５】
電動送風機の駆動によって集塵室内に負圧が発生し、塵埃を含む気流が集塵室に流入する。塵埃は集塵室で集塵され、塵埃を除去された気流が吸気口から電動送風機内に流入して排気口から排気される。排気口の排気は収納ケース内を流通し、本体部から流出する。
【０００６】
電気掃除機の組立時には電動送風機の一端に緩衝材が被嵌して装着され、他端に防振ゴムが装着される。緩衝材及び防振ゴムを装着した電気掃除機は収納ケース内に一端の開口面から挿入され、緩衝材及び防振ゴムがそれぞれ収納ケースの周壁及び底壁に当接する。これにより、電動送風機が緩衝材及び防振ゴムの弾性によって支持される。
【０００７】
また、電動送風機を本体部内に立設した電気掃除機が知られている。この電気掃除機は電動送風機の上面に吸気口が配され、吸気口に気流を導くダクトが電動送風機の上方に配される。集塵室内には本体部の上方から着脱できる集塵容器が設けられ、ダクトが集塵容器の上部に連結される。これにより、集塵容器を本体部から脱着して塵埃を容易に廃棄することができる。
【０００８】
上記の電気掃除機も同様に、本体部内に上面を開口した収納ケースが配される。緩衝材及び防振ゴムを装着した電動送風機は上方から収納ケースに挿入され、ダクトが収納ケースの上面に連結される。
【先行技術文献】
【特許文献】
【０００９】
【特許文献１】特開平１１−２２５９１８号公報（第２頁−第４頁、第２図）
【発明の概要】
【発明が解決しようとする課題】
【００１０】
一般に電気掃除機の電動送風機は市販品が用いられ、防振ゴムには電動送風機の底面に形成される凹部分や凸部分に嵌合する嵌合突起や嵌合孔が設けられる。防振ゴムは嵌合突起や嵌合孔を電動送風機の底面に圧入して電動送風機に装着される。そして、電動送風機を立設した電気掃除機では、防振ゴムを装着した電動送風機が収納ケースに上面の開口部から挿入される。この時、収納ケース内に挿入される電動送風機から防振ゴムが自重により脱落する場合がある。従って、電動送風機の取り付けを容易に行うことができず、電気掃除機の組立工数が大きくなる問題があった。
【００１１】
本発明は、組立工数を削減できる電気掃除機を提供することを目的とする。
【課題を解決するための手段】
【００１２】
上記目的を達成するために本発明は、上面に吸気口を有して周面に排気口を有する電動送風機を本体部内に配した電気掃除機において、上面を開口する有底の箱状に形成して前記本体部に取り付けられるとともに前記電動送風機を収納する収納ケースと、前記電動送風機の底面を支持する防振ゴムと、前記防振ゴムを保持する底面部と前記電動送風機の周囲を覆う周面部と前記周面部の上部に配されて手指を掛ける掛止部とを有する保持部材と、を備えたことを特徴としている。
【００１３】
この構成によると、保持部材の底面部に防振ゴムが保持され、保持部材の周面部の内側に挿入した電動送風機の底面が防振ゴムに当接する。保持部材は掛止部に手指を掛けて収納ケース内に上方から挿入される。この時、電動送風機は自重によって防振ゴムに密着した状態を維持され、防振ゴムの脱落が防止される。
【００１４】
また本発明は、上記構成の電気掃除機において、前記掛止部が前記周面部から径方向に突出して形成されることを特徴としている。
【００１５】
また本発明は、上記構成の電気掃除機において、前記掛止部が前記周面部に形成した凹部または貫通孔から成ることを特徴としている。
【００１６】
また本発明は、上記構成の電気掃除機において、前記電動送風機の外周面と前記周面部の内周面との間に挟持される弾性体の防音材を設けたことを特徴としている。この構成によると、防音材の弾性によって電動送風機と保持部材との脱離を防止することができる。
【００１７】
また本発明は、上記構成の電気掃除機において、前記収納ケースの周囲の一面に気流の流出部が設けられ、前記流出部から離れた位置の前記収納ケースの内面及び前記保持部材の外面に前記保持部材を上下に案内する案内部を設けたことを特徴としている。この構成によると、電動送風機と一体の保持部材が案内部の案内によって所定位置に位置決めして収納ケース内に挿入される。
【００１８】
また本発明は、上記構成の電気掃除機において、前記周面部が前記流出部に対向する第１開口部と、前記流出部から離れた位置に開口する第２開口部とを有することを特徴としている。この構成によると、電動送風機の排気口からの排気は保持部材の周面部内を流通し、第１開口部及び第２開口部を介して保持部材と収納ケースの間に流入する。第１開口部を通る気流は対向する流出部を介して収納ケースの外部に流出する。第２開口部を通る気流は周面部の外面に沿って流通し、流出部を介して収納ケースの外部に流出する。
【００１９】
また本発明は、上記構成の電気掃除機において、前記保持部材が前記収納ケースの内壁上に当接して載置され、前記防振ゴムと前記収納ケースとの間に隙間が形成されることを特徴としている。この構成によると、例えば、保持部材に設けた脚部が収納ケースの底面に当接し、防振ゴムの下面と収納ケースの底面との接触が回避される。
【発明の効果】
【００２０】
本発明によると、底面部に防振ゴムを保持した保持部材が本体部に立設した電動送風機の周囲を覆う周面部と周面部の上部に配された掛止部とを有する。これにより、保持部材の内部に電動送風機を配し、掛止部に手指を掛けて収納ケース内に保持部材が電動送風機とともに挿入される。このため、電動送風機の自重によって防振ゴムの脱落が防止され、電動送風機を容易に収納ケースに収納することができる。従って、電気掃除機の組立工数を削減することができる。
【図面の簡単な説明】
【００２１】
【図１】本発明の実施形態の電気掃除機を示す斜視図
【図２】本発明の実施形態の電気掃除機の本体部を示す側面断面図
【図３】本発明の実施形態の電気掃除機の収納ケース部分を示す側面断面図
【図４】本発明の実施形態の電気掃除機の収納ケース部分の分解斜視図
【図５】本発明の実施形態の電気掃除機の電動送風機を示す底面図
【図６】本発明の実施形態の電気掃除機の保持部材を示す底面図
【図７】図６のＡ−Ａ断面図
【発明を実施するための形態】
【００２２】
以下に本発明の実施形態を図面を参照して説明する。図１は一実施形態の電気掃除機を示す斜視図である。電気掃除機１は電動送風機３０（図２参照）を内装する本体部２を備えている。本体部２の背面には引き出し及び収納が可能な電源コード８が設けられる。電源コード８は電源プラグ９を先端に有し、商用電源のコンセントに差し込んで本体部２に電力供給される。
【００２３】
本体部２の前面には可撓性の接続ホース３が接続され、接続ホース３の先端には延長パイプ４が接続される。延長パイプ４の先端には床面に対峙する吸込口（不図示）を有した吸込口体５が設けられる。また、延長パイプ４にはパイプ把持部１３及び操作部１４が設けられる。使用者により操作部１４を操作して掃除運転が実行され、パイプ把持部１３を把持して吸込口体５を移動させることができる。
【００２４】
図２は本体部２の側面断面図を示している。本体部２は樹脂成形品の本体カバー１０により覆われる。本体カバー１０の前面には接続ホース３（図１参照）を接続する接続口１０ａが開口し、背面には本体排気口１０ｂが開口する。
【００２５】
本体部２の前部には塵埃を集塵する集塵部２０が配される。集塵部２０は集塵容器２２及びフィルタ３７を備え、把持部４１を把持して本体カバー１０から着脱自在に形成される。集塵容器２２の周面には接続口１０ａに連通する流入口２２ａが設けられる。流入口２２ａは集塵容器２２内に旋回気流を形成するように気流を流入させる。集塵部２０の上部には背面に集塵部排気口４２ａを開口する排気流路４２が設けられる。
【００２６】
本体部２の後部には電動送風機３０が軸方向を鉛直に配して立設される。電動送風機３０は上面を開口した収納ケース５０内に収納される。電動送風機３０の上部には開口面を下方に配したカップ状の上部カバー１６が被嵌される。上部カバー１６は合成ゴム等から成る緩衝体１８により電動送風機３０の上部との隙間が埋められ、収納ケース５０の上面に係着される。緩衝体１８によって電動送風機３０の振動吸収及び気流路の気密性向上が図られる。
【００２７】
上部カバー１６の上面には孔部１６ａが開口し、孔部１６ａと集塵部排気口４２ａとを連結するダクト１５が設けられる。上部カバー１６の前部には本体カバー１０の内面に設けたリブ１０ｄに係合する係合部１６ｂが形成される。上部カバー１６の後部には本体カバー１０にネジ止めされるネジ部１６ｃが形成される。
【００２８】
図３、図４は収納ケース５０の内部を示す側面断面図及び分解斜視図である。収納ケース５０は上面に開口部５０ａを開口した有底の箱状に形成され、電動送風機３０を収納する収納部５１の前方に気流が流出するダクト部５２が設けられる。収納部５１に配される電動送風機３０は保持部材６０により保持された防振ゴム７０によって底面が支持される。収納部５１の前面にはダクト部５２に連通する連通口５１ａが開口する。収納部５１の底面５１ｂには断面矩形の突出部５１ｃが下方に突出して設けられる。収納部５１の背面の内面側下部には上下に延びる溝部５１ｄが設けられる。
【００２９】
電動送風機３０はモータ３１（図５参照）のモータ軸（不図示）に羽根車（不図示）が接続され、筒状のファンケース３２により覆われる。羽根車を収納するファンケース３２の上部のファン部３２ｃはモータ３１を収納する下部のモータ部３２ｄに対して径方向に大きく形成される。
【００３０】
ファン部３２ｃの軸方向の端面には吸気口３２ａが開口し、モータ部３２ｄの周面には排気口３２ｂが開口する。モータ３１はブラシ（不図示）を有する整流子モータから成り、ファンケース３２の周面にはブラシを収納するブラシホルダ３３が突設される。
【００３１】
図５は電動送風機３０の底面図を示している。ファンケース３２の底面にはベアリングを収納するベアリング部３２ｅが突出して設けられ、ベアリング部３２ｅの外周側に断面円形の複数の凹部３２ｆが設けられる。
【００３２】
ファンケース３２のモータ部３２ｄの周囲には排気口３２ｂを覆う防音材３５が配される。防音材３５はウレタンフォーム等の吸音性を有した弾性体から成り、一方向に延びて形成される。防音材３５はブラシホルダ３３が挿通される貫通孔３５ａが所定間隔で設けられ、モータ部３２ｄの周面に渦巻状に巻回される。これにより、一の防音材３５が積層され、柔軟性を有して容易に変形する薄い防音材３５を用いて実質的な厚みを厚く確保することができる。
【００３３】
保持部材６０は上面に開口部６０ａを有した有底筒状に形成され、底面を形成する底面部６１及び周面を形成する周面部６２を有している。図６は保持部材６０の底面図を示している。底面部６１の中央には断面矩形の貫通孔６１ａが開口する。貫通孔６１ａの周縁には下方に突出するリブ６１ｂが設けられる。リブ６１ｂは周方向に分断され、リブ６１ｂ間に隙間６１ｃが形成される。また、底面部６１の周部には複数の脚部６１ｄが下方に突出して設けられる。
【００３４】
図３、図４において、保持部材６０の周面部６２には開口部６２ａ及び開口部６２ｂが開口する。開口部６２ａ（第１開口部）は収納ケース５０の気流の流出部を形成する連通口５１ａに面して前面に設けられる。開口部６２ｂ（第２開口部）は連通口５１ａから離れた位置に設けられる。
【００３５】
また、周面部６２ａの背面には上下に延びる突出部６２ｃが外側に突出して設けられる。突出部６２ｃは連通口５１ａから離れた位置に配され、収納ケース５０の溝部５１ｄに嵌合する。突出部６２ｃが溝部５１ｄに嵌合して保持部材６０を上下方向に案内し、保持部材６０を位置決めして収納ケース５０内に挿入することができる。従って、突出部６２ｃ及び溝部５１ｄは保持部材６０を上下に案内する案内部を構成する。
【００３６】
周面部６２の上端には径方向に突出する鍔状の掛止部６３が設けられる。掛止部６３に手指を掛けて保持部材６０を上方から容易に収納ケース５０内に挿入することができる。
【００３７】
防振ゴム７０は合成ゴム等により形成され、電動送風機３０の振動を吸収する。防振ゴム７０の上面には電動送風機３０のベアリング部３２ｅ、凹部３２ｆ及び排気口３２ｂ（いずれも図５参照）にそれぞれ嵌合する凹部７０ａ、凸部７０ｂ及び凸部７０ｃが設けられる。
【００３８】
図７は図６のＡ−Ａ断面図であり、保持部材６０に防振ゴム７０を取り付けた状態を示している。防振ゴム７０の下面には断面矩形の突出部７０ｅが突出して設けられる。突出部７０ｅは収納ケース５０の突出部５１ｃの内側に配される下部に対して保持部材６０の貫通孔６１ａに嵌合する上部が径方向に拡大される。
【００３９】
突出部７０ｅの周面には保持部材６０のリブ６１ｂ間の隙間６１ｃ（図６参照）に係合する係合部７０ｄが設けられる。防振ゴム７０は貫通孔６１ａに突出部７０ｅを圧入し、係合部７０ｄを底面部６１の隙間６１ｃに係着される。これにより、保持部材６０によって防振ゴム７０が保持され、防振ゴム７０の脱落が防止される。
【００４０】
電気掃除機１の組立時には保持部材６０に防振ゴム７０が係着される。次に、電動送風機３０は開口部６０ａから保持部材６０の内部に挿入され、防振ゴム７０に当接する。防振ゴム７０の凹部７０ａ、凸部７０ｂ及び凸部７０ｃは電動送風機３０のベアリング部３２ｅ、凹部３２ｆ及び排気口３２ｂにそれぞれ圧入される。これにより、電動送風機３０の底面が防振ゴム７０により支持され、周面が保持部材６０の周面部６２により覆われる。
【００４１】
この時、電動送風機３０と外周面と周面部６２の内周面との間に弾性体の防音材３５が挟持される。これにより、防音材３５の弾性によって電動送風機３０と保持部材６０との脱離を防止することができる。
【００４２】
電動送風機３０が挿入された保持部材６０は掛止部６３に手指を掛けて開口部５０ａから収納ケース５０の収納部５１内に挿入される。この時、電動送風機３０は自重によって防振ゴム７０に密着した状態を維持され、防振ゴム７０の脱落が防止される。保持部材６０は突出部６２ｃ及び溝部５１ｄから成る案内部の案内によって収納ケース５０内の所定位置に位置決めされる。これにより、電動送風機３０が収納ケース５０に収納される。
【００４３】
この時、防振ゴム７０の突出部７０ｅの下部は収納ケース５０の突出部５１ｃの内周面に対して所定の隙間を有して配される。また、保持部材６０の脚部６１ｄが収納ケース５０の底面５１ｂに当接して保持部材６０が底面５１ｂ上に載置され、防振ゴム７０の下面と底面５１ｂとの間に上下方向の隙間が形成される。これにより、防振ゴム７０を介して収納ケース５０に伝えられる振動を低減し、本体部２の振動をより小さくすることができる。
【００４４】
収納ケース５０の上面には緩衝材１８を介して電動送風機３０に被嵌される上部カバー１６が取り付けられ、上部カバー１６にはダクト１５が取り付けられる。これにより、電気掃除機１の本体部２が組み立てられる。
【００４５】
上記構成の電気掃除機１において、電動送風機３０の駆動によって集塵部２０に負圧が発生し、吸込口体５から床面の塵埃が吸い込まれて延長パイプ４及び接続ホース３を流通する。塵埃を含む気流は接続口１０ａ及び流入口２２ａを介して集塵部２０の集塵容器２２に流入し、集塵容器２２内に旋回気流を形成する。旋回気流の遠心力によって気流に含まれる比較的大きな塵埃が除去され、集塵容器２２内に堆積する。
【００４６】
大きな塵埃が除去された気流は上昇し、フィルタ３７により細かい塵埃が捕集される。フィルタ３７を通過した気流は排気流路４２を流通し、集塵部排気口４２ａを介して集塵部２０から流出する。集塵部２０から流出した気流はダクト１５を流通し、電動送風機３０を介して排気口３２ｂから排気される。
【００４７】
排気口３２ｂの排気は防音材３５を通過して電動送風機３０の騒音が吸音され、保持部材６０の開口部６２ａ、６２ｂから流出する。この時、収納ケース５０の連通口５１ａに面した開口部６２ａと連通口５１ａから離れた開口部６２ｂとを設けているので、風量を増加させて仕事率を向上することができる。
【００４８】
開口部６２ａを通る気流は対向する連通口５１ａを介してダクト部５２を流通し、収納ケース５０の外部に流出する。開口部６２ｂを通る気流は周面部６２の外面に沿って流通し、連通口５１ａを介してダクト部５２を流通して収納ケース５０の外部に流出する。収納ケース５０から流出した気流は本体排気口１０ｂから外部に放出される。
【００４９】
本実施形態によると、底面部６１に防振ゴム７０を保持した保持部材６０が本体部２に立設した電動送風機３０の周囲を覆う周面部６２と周面部６２の上部に配された掛止部６３とを有する。これにより、保持部材６０の内部に電動送風機３０を配し、掛止部６３に手指を掛けて収納ケース５０内に保持部材６０が電動送風機３０とともに挿入される。このため、電動送風機３０の自重によって防振ゴム７０の脱落が防止され、電動送風機３０を容易に収納ケース５０に収納することができる。従って、電気掃除機１の組立工数を削減することができる。
【００５０】
また、掛止部６３が周面部６２から径方向に突出して形成されるので、手指を掛ける掛止部６３を容易に形成することができる。尚、掛止部６３を周面部６２に形成した凹部または貫通孔により形成してもよい。
【００５１】
また、電動送風機３０の周面に配した弾性体の防音材３５が電動送風機３０の外周面と周面部６２の内周面との間に挟持されるので、防音材３５の弾性によって電動送風機３０と保持部材６０との脱離を防止することができる。従って、より簡単に電動送風機３０を保持部材６０とともに収納ケース５０に収納することができる。また、電動送風機３０の排気によって収納ケース５０の底面に対して電動送風機３０が保持部材６０と一体に持ち上げられ、防振ゴム７０と収納ケース５０との接触が低減される。これにより、防振ゴム７０を介して収納ケース５０に伝えられる振動を低減し、本体部２の振動をより小さくすることができる。
【００５２】
また、収納ケース５０の溝部５１ｄ及び保持部材６０の突出部６２ｃによって保持部材６０を上下方向に案内する案内部を形成したので、保持部材６０を位置決めして収納ケース５０内に挿入することができる。また、案内部が収納ケース５０の気流の流出部（ダクト部５２）から離れた位置に設けられるので、案内部によって気流が遮られることによる電動送風機３０の風量低下を防止することができる。
【００５３】
また、周面部６２が流出部（ダクト部５２）に対向する開口部６２ａ（第１開口部）と、流出部から離れた位置に開口する開口部６２ｂ（第２開口部）とを有するので、風量を増加させて仕事率を向上することができる。
【００５４】
また、保持部材６０の脚部６１ｄが収納ケース５０の底面５１ｂ上に当接して保持部材６０が載置され、防振ゴム７０と収納ケース５０との間に隙間が形成される。これにより、防振ゴム７０を介して収納ケース５０に伝えられる振動を低減し、本体部２の振動をより小さくすることができる。尚、保持部材６０が収納ケース５０の内壁の任意の位置に当接して内壁上に載置されるようにすればよい。
【００５５】
本実施形態において、電気掃除機１が電動送風機３０を内装する本体部２に吸込口体５が接続ホース３を介して接続されるキャニスター型に形成されるが、本体部２に吸込口体５を一体に設けた縦型の電気掃除機であってもよい。
【産業上の利用可能性】
【００５６】
本発明によると、電動送風機を備えた電気掃除機に利用することができる。
【符号の説明】
【００５７】
１    電気掃除機
２    本体部
３    接続ホース
４    延長パイプ
５    吸込口体
１０    本体カバー
１６、１７  ハウジング
１８    緩衝体
２０    集塵部
２２    集塵容器
３０    電動送風機
３２    ファンケース
３２ａ  吸気口
３２ｂ  排気口
３３    ブラシホルダ
３５    防音材
４２    排気流路
４２ａ  集塵部排気口
５０    収納ケース
５０ａ  開口部
５１    収納部
５１ａ  連通口
５１ｂ  底面
５２    ダクト部
６０    保持部材
６１    底面部
６１ｄ  脚部
６２    周面部
６３    掛止部
７０    防振ゴム
【図１】
2012065879.tif 000003
【図２】
2012065879.tif 000004
【図３】
2012065879.tif 000005
【図４】
2012065879.tif 000006
【図５】
2012065879.tif 000007
【図６】
2012065879.tif 000008
【図７】
2012065879.tif 000009